(57)【要約】      （修正有）【課題】火災等によって高温状態となった場合であっても、窓を開放状態に保持する窓装置を提供する。【解決手段】窓枠３及び障子５のうち少なくとも一方に規制機構２０を設ける。そして、規制機構２０を、窓枠３を構成する材質及び障子５を構成する材質のうち融点の低い方の材質より融点が低い材質からなるヒューズ部２５を有し、かつ、当該ヒューズ部２５が溶融したときに障子５を開放状態に保持可能な構成とする。これにより、火災等によって高温状態となった場合には、ヒューズ部２５が溶融して障子５の開放状態が保持されるので、窓を開放状態に保持でき、煙等を確実に排出する。【選択図】図３
0003179207.tif 000002
【実用新案登録請求の範囲】
【請求項１】
窓枠と、
前記窓枠に揺動可能に組み付けられた枠状の障子と、
前記窓枠及び前記障子のうち少なくとも一方に設けられ、前記窓枠を構成する材質及び前記障子を構成する材質のうち融点の低い方の材質より融点が低い材質からなるヒューズ部を有し、かつ、前記ヒューズ部が溶融したときに前記障子の変位を規制する規制機構と
を備えることを特徴とする窓装置。
【請求項２】
前記規制機構は、
前記障子と前記窓枠とを係合状態とする係合ポジションと、前記障子と前記窓枠とを非係合状態とする非係合ポジションとの間で変位可能な係合部材、及び
前記係合部材を前記係合ポジション側に変位させるばねを有し、
さらに、前記ヒューズ部は、前記係合部材を前記非係合ポジションに固定していることを特徴とする請求項１に記載の窓装置。
【請求項３】
前記規制機構は、
一端側が前記窓枠及び前記障子のうち少なくとも一方の部材に揺動可能に組み付けられ、他端側が他方の部材と接触したときに前記障子を開放状態に保持する揺動アーム、並びに
前記揺動アームを前記他方の部材側に揺動させるばねを有し、
前記ヒューズ部は、前記揺動アームを揺動不可として前記一方の部材に固定していることを特徴とする請求項１に記載の窓装置。
【考案の詳細な説明】
【技術分野】
【０００１】
本考案は、窓枠及び障子等を有する窓装置に関するものである。
【背景技術】
【０００２】
例えば、特許文献１に記載の防火扉では、コイルばねを有する付勢手段により、扉状のダンパーが閉鎖位置に向けて付勢され、かつ、当該ダンパーは、ヒューズによって開放位置に固定されている。そして、火災が発生して温度が上昇すると、ヒューズが溶断して付勢手段によりダンパーが閉鎖位置に移動し、窓が閉鎖される。
【先行技術文献】
【特許文献】
【０００３】
【特許文献１】実開昭６４−１２５５２号公報
【考案の概要】
【考案が解決しようとする課題】
【０００４】
ところで、火災によって発生した煙等を排出する必要がある場合がある。しかし、特許文献１に係る考案では、火災時に窓が閉鎖されてしまうので、煙等を排出することができない。
【０００５】
つまり、特許文献１等の従来技術では、火災等によって高温状態となった場合に、窓を開放状態に保持できないので、煙等を排出することができない。
【課題を解決するための手段】
【０００６】
本考案は、窓枠（３）と、窓枠（３）に揺動可能に組み付けられた枠状の障子（５）と、窓枠（３）及び障子（５）のうち少なくとも一方に設けられ、窓枠（３）を構成する材質及び障子（５）を構成する材質のうち融点の低い方の材質より融点が低い材質からなるヒューズ部（２５）を有し、かつ、ヒューズ部（２５）が溶融したときに障子（５）の変位を規制する規制機構（２０）とを備えることを特徴とする。
【０００７】
これにより、本考案では、火災等によって高温状態となった場合には、ヒューズ部（２５）が溶融して障子（５）の変位が規制される。したがって、開放状態時にヒューズ部（２５）が溶融すれば、開放状態を保持できるので、火災等が発生した場合にあっては、煙等を確実に排出することができる。
【０００８】
因みに、上記各手段等の括弧内の符号は、後述する実施形態に記載の具体的手段等との対応関係を示す一例であり、本考案は上記各手段等の括弧内の符号に示された具体的手段等に限定されるものではない。
【図面の簡単な説明】
【０００９】
【図１】本考案の実施形態に係る窓装置１の外観斜視図である。
【図２】（ａ）は本考案の第１実施形態に係る窓装置１を室内側から見た正面図であり、（ｂ）は本考案の第１実施形態に係る窓装置１の側面図である。
【図３】（ａ）は本考案の第１実施形態に係る規制機構２０の非係合ポジションを示す図であり、（ｂ）は本考案の第１実施形態に係る規制機構２０の係合ポジションを示す図である。
【図４】（ａ）は本考案の第２実施形態に係る窓装置１を室内側から見た正面図であり、（ｂ）は本考案の第２実施形態に係る窓装置１の側面図である。
【図５】（ａ）は本考案の第２実施形態に係る規制機構２０をヒンジ機構４の軸中心方向と平行な方向から見た図であり、（ｂ）は本考案の第２実施形態に係る規制機構２０を室内側から見た図である。
【図６】（ａ）は本考案の第２実施形態に係る規制機構２０の作動時を示す図であり、（ｂ）は図６（ａ）のＡ矢視図である。
【考案を実施するための形態】
【００１０】
以下に説明する「考案の実施形態」は実施形態の一例を示すものである。つまり、実用新案登録請求の範囲に記載された考案特定事項等は、下記の実施形態に示された具体的手段や構造等に限定されるものではない。
【００１１】
そして、本実施形態は、本考案に係る窓装置１を突出し窓に適用したものである。なお、突出し窓とは、図１に示すように、窓枠３、及び窓枠３に揺動可能に組み付けられた障子５を有する窓装置１であって、窓枠３の上部にヒンジ機構４が設けられた窓装置をいう。なお、ヒンジ機構４は、図２（ａ）に示すように、窓枠３と障子５とを揺動可能に連結する。
【００１２】
以下、本考案の実施形態を図面と共に説明する。
（第１実施形態）
１．窓装置
本実施形態に係る窓装置１の窓枠３及び障子５は、図１に示すように、アルミニウム等の軽金属からなる矩形枠状に構成されている。なお、窓枠３は、建築物（図示せず。）の開口縁部にねじ等の締結手段により固定される。障子５の枠体には、ガラス板等の板状部材が組み付けられている。
【００１３】
このため、窓装置１が閉じられた状態では、上記建築物の開口部が閉じられた状態となる。一方、窓装置１が開いた状態（図１に示す状態）では、障子５が窓枠３に対して揺動変位して上記建築物の開口部が開いた状態となる。因みに、本実施形態に係る窓装置１では、障子５が建築物に対して外側に揺動変位することにより、前記開口部が開放される。
【００１４】
そして、窓装置１には、図２（ｂ）に示すように、障子５を窓枠３から離間させる力（以下、離間力という。）を障子５に作用させるステイダンパー１０が少なくとも１本設けられている。ステイダンパー１０は、筒状のシリンダ及び当該シリンダから出没するロッド等を有して構成されている。
【００１５】
なお、ステイダンパー１０の長手方向一端側は窓枠３に回転可能に連結され、ステイダンパー１０の長手方向他端側は障子５に回転可能に連結されている。そして、ステイダンパー１０は、シンリダ内に封入された高圧ガスのガス圧又はコイルばねの弾性力を利用してロッドを伸張させる力、つまり離間力を発生させている。
【００１６】
また、窓枠３及び障子５のうち少なくとも一方には、障子５の変位を規制する規制機構２０が設けられている。なお、本実施形態に係る規制機構２０は、図２（ａ）に示すように、障子５の枠体のうち、上下方向に延びる一対の枠部５Ａのヒンジ機構４側に設けられている。
【００１７】
２．規制機構の構成
規制機構２０は、図３（ａ）に示すように、係合部材２１、ばね２３及びヒューズ部２５、並びに係合部材２１、ばね２３及びヒューズ部２５を収納するケーシング２７等を有して構成されている。そして、ケーシング２７は、ねじ等の締結手段により枠部５Ａに固定されている。
【００１８】
係合部材２１は、図３（ａ）及び図３（ｂ）に示すように、ケーシング２７に対して出没可能に変位できる。そして、係合部材２１がケーシング２７から大きく突出すると、図３（ｂ）に示すように、係合部材２１は窓枠３と係合可能な状態となる。一方、係合部材２１がケーシング２７内に没すると、図３（ａ）に示すように、係合部材２１は窓枠３と係合不可能な状態となる。
【００１９】
つまり、係合部材２１は、障子５と窓枠３とを係合状態とする係合ポジション（図３（ｂ））と、障子５と窓枠３とを非係合状態とする非係合ポジション（図３（ａ））との間で変位できる。なお、本実施形態に係る係合部材２１は、金属からなる棒状の部材であって、ケーシング２７内外を貫通している。
【００２０】
ばね２３は、係合部材２１を係合ポジション側に変位させる弾性力を常に係合部材２１に作用させている。このばね２３は金属製のコイルばねである。そして、ばね２３は、係合部材２１に設けられた鍔（フランジ）状の突起部２１Ａとケーシング２７の内壁との間に挟まれて圧縮変形している。
【００２１】
また、非係合ポジション時におけるばね２３の圧縮変形量は、係合ポジション時におけるばね２３の圧縮変形量より大きい。したがって、ばね２３は、上記の弾性力を常に係合部材２１に作用させる。
【００２２】
また、ヒューズ部２５は、窓枠３を構成する材質及び障子５を構成する材質のうち融点の低い方の材質より融点が低い材質からなるものであって、図３（ａ）に示すように、係合部材２１を非係合ポジションに固定する。そして、本実施形態では、係合部材２１、ばね２３及びケーシング２７もヒューズ部２５の融点より高い融点を有する金属である。
【００２３】
因みに、本実施形態では、１２５℃以上（望ましくは２５０℃以上）、３００℃以下の融点を有する材質でヒューズ部２５を構成することが望ましい。具体的には、本実施形態では「ハンダ」又は熱可塑性樹脂にてヒューズ１７を構成している。
【００２４】
３．本実施形態に係る窓装置（特に、規制機構）の特徴
ヒューズ部２５の温度が自身の融点より低い状態では、図３（ａ）に示すように、係合部材２１は非係合ポジションに保持される。一方、ヒューズ部２５の温度が自身の融点より高くなり、ヒューズ部２５が溶融すると、係合部材２１を非係合ポジションに保持する保持力が消失するため、係合部材２１は、図３（ｂ）に示すように、ばね２３の弾性力により係合ポジションに変位し、窓枠３と係合部材２１とが係合可能な状態となる。
【００２５】
したがって、窓装置１が開放されている状態で、火災等が発生して高温となった場合には、ヒューズ部２５が溶融して障子５の開放状態が保持されるので、窓装置１を開放状態に保持できる。延いては、火災等が発生した場合にあっては、煙等を確実に排出することができる。延いては、ステイダンパー１０が熱により損傷した場合であっても、煙等を確実に排出することができる。
【００２６】
（第２実施形態）
第１実施形態に係る規制機構２０は、係合部材２１を窓枠３と障子５との間に挟み込むことにより、窓装置１の開放状態を保持するものであったが、本実施形態に係る規制機構２０は、係合部材２１に代えて、図４（ａ）に示すように、突き出し棒状の揺動アーム２９にて窓装置１の開放状態を保持するものである。
【００２７】
１．本実施形態に係る規制機構の詳細構成
揺動アーム２９は、その長手方向一端側が窓枠３及び障子５のうち少なくとも一方の部材に揺動可能に組み付けられている。具体的には、揺動アーム２９は、窓枠３のうち障子５の枠部５Ａに対向する枠部３Ａであって、ヒンジ機構４と反対側、つまり枠部３Ａの下端側に揺動可能に組み付けられている。
【００２８】
なお、揺動アーム２９は、少なくとも１本あれば十分であるが、本実施形態では、図４（ｂ）に示すように、左右両側に位置する一対の枠部３Ａそれぞれに揺動アーム２９が設けられている。そして、一対の揺動アーム２９は、その下端側を揺動中心とし揺動できる。
【００２９】
また、揺動アーム２９は、図５（ａ）に示すように、当接部２９Ａ及び本体アーム２９Ｂ等を有している。本体アーム２９Ｂの長手方向一端側は、第１ヒンジ部２９Ｃを介して取付部３Ｂに連結されている。一方、本体アーム２９Ｂの長手方向他端側は、第２ヒンジ部２９Ｄを介して当接部２９Ａの長手方向一端側に連結されている。なお、取付部３Ｂは、枠部３Ａに固定されている。
【００３０】
第１ヒンジ部２９Ｃは、本体アーム２９Ｂ、つまり揺動アーム２９を窓枠３に対して外内方向に揺動可能とする。なお、「外内方向」とは、建築物の内側から外側に向かう向き又は内側から外側に向かう向きをいう。
【００３１】
第２ヒンジ部２９Ｄは、図５（ｂ）に示すように、当接部２９Ａを本体アーム２９Ｂに対して外内方向及び本体アーム２９Ｂの長手方向と直交する方向（本実施形態では、左右方向）に揺動可能とする。
【００３２】
また、本体アーム２９Ｂのうち第１ヒンジ部２９Ｃ側には、図５（ａ）に示すように、本体アーム２９Ｂを障子５側、つまり外側に揺動させる第１ばね３１Ａが設けられている。なお、本実施形態に係る第１ばね３１Ａは、第１ヒンジ部の揺動軸（図示せず。）と同軸上に位置するコイル部を有する捻りコイルばねである。
【００３３】
因みに、捻りコイルばねに構成された第１ばね３１Ａの一端側は取付部３Ｂに係止され、他端側は、本体アーム２９Ｂに係止されている。そして、本体アーム２９Ｂが枠部３Ａに近づくほど、第１ばね３１Ａの撓み量が大きくなるように設定されている。つまり、第１ばね３１Ａは、本体アーム２９Ｂを枠部３Ａから離間させる向きの弾性力を常に本体アーム２９Ｂに作用させている。
【００３４】
一方、本体アーム２９Ｂのうち第２ヒンジ部２９Ｄ側には、図５（ｂ）に示すように、当接部２９Ａを障子５側に揺動させる第２ばね３１Ｂが設けられている。なお、本実施形態に係る第２ばね３１Ｂは、第１ヒンジ部の揺動軸（図示せず。）と同軸上に位置するコイル部を有する捻りコイルばねである。
【００３５】
因みに、捻りコイルばねに構成された第２ばね３１Ｂの一端側は当接部２９Ａに係止され、他端側は、本体アーム２９Ｂに係止されている。そして、当接部２９Ａと本体アーム２９Ｂとなす角が大きくなるほど、第２ばね３１Ｂの撓み量が大きくなるように設定されている。つまり、第２ばね３１Ｂは、当接部２９Ａを障子５側に揺動させる向きの弾性力を常に当接部２９Ａに作用させている。
【００３６】
そして、本実施形態に係るヒューズ部２５は、図５（ａ）に示すように、本体アーム２９Ｂを窓枠３に固定する第１ヒューズ部２５Ａ、及び当接部２９Ａを窓枠３に固定する第２ヒューズ部２５Ｂを有している。以下、第１ヒューズ部２５Ａ及び第２ヒューズ部２５Ｂを総称する場合には、ヒューズ部２５と記す。
【００３７】
なお、本実施形態に係るヒューズ部２５も第１実施形態に係るヒューズ部２５と同様に、窓枠３を構成する材質及び障子５を構成する材質のうち融点の低い方の材質より融点が低い材質からなるものである。因みに、当接部２９Ａ、本体アーム２９Ｂ、第１ばね３１Ａ及び第２ばね３１Ｂを構成する材質の融点も、ヒューズ部２５の融点より高い融点を有する金属である。
【００３８】
２．本実施形態に係る窓装置（特に、規制機構）の特徴
ヒューズ部２５が溶融し、揺動アーム２９（当接部２９Ａ及び本体アーム２９Ｂ）が自由に揺動可能な状態となると、揺動アーム２９は、図６（ａ）に示すように、第１ばね３１Ａの弾性力により開放状態にある障子５側、つまり外側に傾くように揺動する。
【００３９】
このとき、当接部２９Ａは、図６（ｂ）に示すように、第２ばね３１Ｂの弾性力により障子５側に揺動変位する。このため、障子５が開かれている場合に、揺動アーム２９が自由に揺動可能な状態となると、障子５と当接部２９Ａとが接触して障子５が揺動アーム２９に係止された状態となるので、窓装置１の開放状態が保持される。
【００４０】
したがって、窓装置１が開放されている状態で、火災等が発生して高温となった場合には、ヒューズ部２５が溶融して障子５の開放状態が保持されるので、窓装置１を開放状態に保持できる。延いては、火災等が発生した場合にあっては、煙等を確実に排出することができる。
【００４１】
（その他の実施形態）
上述の実施形態では、窓枠３の上部に揺動中心が設けられた窓装置１であったが、本考案はこれに限定されるものではなく、例えば、窓枠３の下部若しくは上下方向中間部に揺動中心が設けられて障子５が上下方向に揺動若しくは回転する方式の窓装置、又は窓枠３の水平方向一端側若しくは水平方向中間部に揺動中心が設けられて障子５が水平方向に揺動若しくは回転する方式の窓装置であってもよい。
【００４２】
また、第１実施形態に係る規制機構２０は障子５に組み付けられ、第２実施形態に係る規制機構２０は窓枠３に組み付けられていたが、本考案はこれに限定されるものではなく、窓枠３及び障子５のうち少なくとも一方に規制機構２０が組み付けられていれば十分である。
【００４３】
また、第１実施形態に係る規制機構２０のばね２３は、押しばねタイプのコイルばねであったが、本考案はこれに限定されるものではなく、例えば捻りコイルばね又は引っ張りばね等であってもよい。
【００４４】
また、第２実施形態に係る規制機構２０では、第１ばね３１Ａにより、開放状態にある障子５側に揺動アーム２９を揺動させる力を常に作用させていたが、本考案はこれに限定されるものではなく、例えば、以下のように構成してもよい。
【００４５】
すなわち、例えばヒューズ部２５により窓枠３に揺動アーム２９が固定された状態において、揺動アーム２９の長手方向が窓枠３の長手方向に対して傾けてもよい。このようにすれば、揺動アーム２９に作用する重力により、開放状態にある障子５側に揺動アーム２９を揺動させるモーメントが発生するからである。
【００４６】
また、揺動アーム２９の下端側を障子５の下端側に揺動可能に組み付け、揺動アーム２９をヒューズ部２５にて障子５に固定した構成とすれば、障子５が開かれた状態においては、揺動アーム２９に作用する重力により、揺動アーム２９を窓枠３側に揺動させるモーメントが揺動アーム２９に作用する。
【００４７】
そして、上記構成においては、ヒューズ部２５が溶融すると、揺動アーム２９に作用する重力により、揺動アーム２９が窓枠３側に揺動するので、揺動アーム２９が突き出し棒の如く機能して窓装置１が開放された状態が保持される。
【００４８】
また、第２実施形態に係る規制機構２０では、当接部２９Ａが設けられていたが、本考案はこれに限定されるものではなく、例えば、当接部２９Ａを廃止して、揺動アーム２９を本体アーム２９Ｂのみからなる単純な腕状としてもよい。
【００４９】
また、第１実施形態では、棒状の係合部材２１がばね２３内に挿通されていたが、本考案はこれに限定されるものではなく、係合部材２１がばね２３内を挿通していなくてもよい。
【００５０】
また、本考案は、実用新案登録請求の範囲に記載された考案の趣旨に合致するものであればよく、上述の実施形態に限定されるものではない。したがって、例えば、第１実施形態と第２実施形態とを組み合わせてもよい。
【符号の説明】
【００５１】
１… 窓装置  ３… 窓枠  ３Ａ… 枠部  ３Ｂ… 取付部
４… ヒンジ機構  ５… 障子  ５Ａ… 枠部  １０… ステイダンパー
１７… ヒューズ  ２０… 規制機構  ２１… 係合部材  ２１Ａ… 突起部
２５… ヒューズ部  ２５Ａ… 第１ヒューズ部  ２５Ｂ… 第２ヒューズ部
２７… ケーシング  ２９… 揺動アーム  ２９Ａ… 当接部  ２９Ｂ… 本体アーム
２９Ｃ… 第１ヒンジ部  ２９Ｄ… 第２ヒンジ部
【図１】
0003179207.tif 000003
【図２】
0003179207.tif 000004
【図３】
0003179207.tif 000005
【図４】
0003179207.tif 000006
【図５】
0003179207.tif 000007
【図６】
0003179207.tif 000008